【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
ヒト又は動物の身体内の少なくとも１つの導管を閉塞させるための方法に用いる装置であって、
ａ）閉塞材料を含む有効量の組成物を配送することができるデリバリーシステムを設けることを含み、当該デリバリーシステムが、少なくとも２つのカテーテルをもたらすための少なくとも１つのイントロデューサシャフトを含むデリバリー装置と、デリバリー端上の端部構造物、及び近位端上の取付け手段を各々が含む２つのカテーテルと、閉塞材料を含む組成物と、閉塞材料を含む前記組成物を、カテーテル内に、及びカテーテルを通してもたらすための手段とを含み、
前記方法が、
ｂ）閉塞材料を含む有効量の組成物を、ターゲット部位又はその付近に、前記閉塞材料が導管の内腔を閉塞させるように配送すること、および、
ｃ）導管を、導管の内腔内にて、閉塞材料を含む組成物により閉塞させること、
を含む方法である装置。
【請求項２】
イントロデューサシャフトの取り出し及び再挿入、又は実質的な再配置を行わずに２つの導管が閉塞される請求項１に記載の装置。
【請求項３】
前記２つの導管が哺乳類の卵管である請求項２に記載の装置。
【請求項４】
さらに、ｄ）少なくとも１つの導管を再開放すること、を含む請求項１に記載の装置。
【請求項５】
閉塞材料を含む組成物が、前記内腔に配送される前に混合される請求項１に記載の装置。
【請求項６】
閉塞材料を含む組成物が、液体の組織接着剤及び溶媒和ポリマーを含み、前記組成物が現場（ｉｎ  ｓｉｔｕ）で硬化する請求項１に記載の装置。
【請求項７】
閉塞材料を含む組成物が超音波可視性である請求項１に記載の装置。
【請求項８】
前記超音波可視材料が、空気若しくはガスの微小泡、又は、空気若しくはガスを閉じ込めた材料の微小粒子を含む請求項７に記載の装置。
【請求項９】
前記液体の組織接着剤が、シアノアクリレート、ポリアクリル酸、ポリエチレングリコール、変性ポリエチレングリコール、トロンビン、コラーゲン、コラーゲンを基材とする接着剤、フィブリン、フィブリン接着剤組成物、ゼラチン−レゾルシノール−ホルムアルデヒド−グルタルアルデヒド（ＧＲＦＧ）接着剤、コラーゲン又はトロンビンと組み合わせた自家血液、架橋アルブミン接着剤、変性グリコサミノグリカン、ポリ（Ｎ−イソプロピルアクリルアミド）を基材とする接着剤、カルボジイミド又はゲネピン（ｇｅｎｅｐｉｎ）で架橋されたアルギナート、キトサン又はゼラチンであり；溶媒和ポリマーが、再吸収可能なポリエステルであり、ポリラクチド、ポリグリコリド、若しくはポリカプロラクトン、又はこれらの材料のコポリマーを含み、当該コポリマーが、ポリ（ラクチド／グリコリド）酸（ＰＬＧＡ）、又は、ポリ（ラクチド−コ−ε−カプロラクトン）（ＰＬＣＬ）を含む請求項６に記載の装置。
【請求項１０】
前記硬化された組成物の膨潤率が２０％未満である請求項６に記載の装置。
【請求項１１】
前記硬化された組成物が、約３０日〜約３６５日の期間に、実質的に約２０％〜約１００％再吸収される請求項６に記載の装置。
【請求項１２】
閉塞が組織の内部成長により維持される請求項１１に記載の装置。
【請求項１３】
閉塞材料を含む組成物が、液体の組織接着剤、及び粒子を含む請求項１に記載の装置。
【請求項１４】
前記粒子が、再吸収可能なポリマーの球体を含むナノ粒子又は微小粒子である請求項１３に記載の装置。
【請求項１５】
前記粒子の直径が約０．１マイクロメータ〜約１０００マイクロメータである請求項１３に記載の装置。
【請求項１６】
前記閉塞材料が超音波により観測可能である請求項１に記載の装置。
【請求項１７】
前記組成物が、さらに、組織瘢痕化剤、線維化剤、受精抑制剤、避妊薬、組織成長促進物質、ホルモン、重合防止剤、重合安定剤、乳化剤、エコー源性剤、造影剤、粘性変更材料、可塑剤、着色剤、又は、これらの薬剤及び材料の組合せを含む請求項６に記載の装置。
【請求項１８】
前記組成物が、さらに、閉塞材料のための硬化可能な担体、コントロールリリース剤、組織瘢痕化剤、線維化剤、受精抑制剤、避妊薬、組織成長促進物質、ホルモン、重合防止剤、重合安定剤、乳化剤、エコー源性剤、造影剤、粘性変更材料、可塑剤、着色剤、又は、これらの薬剤及び材料の組合せを含む請求項１３に記載の装置。
【請求項１９】
避妊のための方法に用いる装置であって、
ａ）閉塞材料を含む有効量の組成物を配送することができるデリバリーシステムを設けることを含み、当該デリバリーシステムが、少なくとも２つのカテーテルをもたらすための少なくとも１つのイントロデューサシャフトを含むデリバリー装置と、２つのデュアルルーメンバルーンカテーテルと、閉塞材料を含む組成物と、閉塞材料を含む前記組成物を、カテーテル内に、及びカテーテルを通してもたらすための手段とを含み、
前記方法が、
ｂ）閉塞材料を含む有効量の組成物を、ターゲット位置又はその付近に、前記閉塞材料が少なくとも１つの卵管の内腔を閉塞させるように配送すること、および、
ｃ）卵管を、導管の内腔内にて、閉塞材料を含む組成物により閉塞させること
を含む方法である装置。
【請求項２０】
避妊装置であって、少なくとも２つのカテーテルをもたらすためのイントロデューサシャフトと、デリバリー端に端部構造物を各々が含む２つのカテーテルと、閉塞材料を含む組成物と、閉塞材料を含む前記組成物を、カテーテル内に、及びカテーテルを通してもたらすための手段とを含む避妊装置。
【請求項２１】
前記端部構造物が、カップ、ノズル又はバルーンである請求項２０に記載の装置。
【請求項２２】
前記避妊装置を、当該装置が一度配置されたならば所定位置に保持するためのデリバリー装置安定器をさらに含む請求項２０に記載の装置。
【請求項２３】
デリバリー装置安定器が、前記装置を適切な位置に保持するために、頸部に嵌め付けられ、若しくは取り付けられ、若しくは頸部内に嵌め込まれ、又は頸部内で膨張する請求項２１に記載の装置。
【請求項２４】
少なくとも１つの閉塞された導管を開放するための方法に用いる装置であって、
ａ）少なくとも２つのカテーテルをもたらすための少なくとも１つのイントロデューサシャフトと、デリバリー端に端部構造物を各々が含む２つのカテーテルと、導管を再開放するための手段とを含むデリバリー装置を設けることを含み、
前記方法が、
ｂ）導管を再開放すること
を含む方法である装置。
【請求項２５】
請求項１に記載の装置を用いて閉塞された少なくとも１つの閉塞導管を開放するための方法に用いる装置であって、
ａ）導管を開放する手段を配送することができるデリバリー装置を含むデリバリーシステムを設けることを含み、
前記方法が、
ｂ）導管を開放すること
を含む方法である装置。
【請求項２６】
導管を開放する手段を配送することができるデリバリーシステムが、デリバリー装置を含み、当該デリバリー装置が、少なくとも２つのカテーテルをもたらすための少なくとも１つのイントロデューサシャフトと；静的装置を一端に含む少なくとも１つのカテーテルと；配置時にデリバリーシステムを適切な位置に保持するための手段と；導管を開放するための手段とを含む請求項２５に記載の装置。
【請求項２７】
導管を開放するための手段が、閉塞材料を粉砕するための衝撃波、溶剤を含む化学的手段、酵素を含む生物学的手段、又は、内腔を再疎通させるための堅固な、若しくは切断用のカテーテル端を含む機械的手段をもたらすための装置又は部材を含む請求項２４に記載の装置。
【請求項２８】
さらに、ｃ）ステントを前記導管の内腔内に設けることにより導管の開放を維持すること、を含む請求項２４に記載の装置。